(57)【特許請求の範囲】
【請求項１】
携帯端末の画面にキャラクタを表示する装置において、
ユーザに複数のキャラクタの中からキャラクタを選択させる手段と、
前記携帯端末と通信可能な他の携帯端末の通話料金累計情報を取得する手段と、
該通話料金累計情報に対応して前記キャラクタの姿態を変化させて前記画面に表示する手段とからなることを特徴とする携帯端末のキャラクタ表示装置。
【請求項２】
前記通話料金累計情報に応じて、前記キャラクタの姿態のうち、色、大きさ、形、表情の少なくともいずれか一つを変化させることを特徴とする請求項１に記載の装置。
【請求項３】
前記キャラクタの姿態とともに前記通話料金累計情報を表示することを特徴とする請求項２に記載の装置。
【発明の詳細な説明】
【０００１】
【発明の属する技術分野】
本発明は携帯電話等の携帯端末のキャラクタ表示装置に関する。
【０００２】
【従来の技術】
従来、携帯電話等の携帯端末では、待ち受け画面に、バッテリ−残量や電界強度等を示すアイコンが表示されている。通話後に通話料金や通話時間を表示することも行われている。また、待ち受け画面の壁紙として、風景画やキャラクタの動画を表示するものも実用化されている。
【０００３】
しかし、従来の携帯端末のバッテリ−残量や電界強度等を示すアイコンは、ユーザが変更することはできないし、壁紙もユーザが自ら変更しない限り、常に同じものが表示される。また、通話料金や通話時間も文字データとして表示されるので、面白みがない。
【０００４】
そこで、近年、各種情報をキャラクタを使用して楽しく表示できるようにしたものが提案されている。例えば、特開平１１−１８１４５号公報では、携帯電話等の機器の使用状態をそのレベルに対応して動物のキャラクタの顔の輪郭（目と口）を変化させて表示する方法が開示されている。しかし、このようにキャラクタの目と口を変化させるだけでは、それが意味する内容を理解しにくいし、愛着感もわきにくい。
【０００５】
また、キャラクタを自動的に変更するものも提案されている。例えば、特開２００１−１１９４５３号公報では、携帯型装置に所定のイベントが発生したときに、キャラクタをアニメーションさせたり、所定時間キャラクタをシャッフルして表示し、最後に表示されたキャラクタを以後表示することで、ユーザに愛着感を抱かせる制御方法が提案されている。特開２００１−１４４８８４号公報では、例えば通話時間等をポイント値に変換し、該ポイント値に応じてキャラクタを変化させることで、飽きのこないキャラクタを表示するシステムが開示されている。しかし、これらの提案では、イベントが発生しなかったり、ポイントが加算されていかなければ、キャラクタを変化させることができないので、やがて愛着感が薄れ、飽きがくるようになる。
【０００６】
【発明が解決しようとする課題】
本発明は、前記従来の問題点に鑑みてなされたもので、ユーザにとって愛着感があり、飽きのこない携帯端末のキャラクタ表示装置を提供することを課題とする。
【０００７】
【課題を解決するための手段】
前記課題を解決するための本発明は、
携帯端末の画面にキャラクタを表示する装置において、
ユーザに複数のキャラクタの中からキャラクタを選択させる手段と、
前記携帯端末と通信可能な他の携帯端末の通話料金累計情報を取得する手段と、
該通話料金累計情報に対応して前記キャラクタの姿態を変化させて前記画面に表示する手段とからなる。
【０００８】
この発明のキャラクタ表示装置では、他の携帯端末の通話料金累計情報を表示できるので、当該他の形態端末のユーザの利用状況や位置を知ることができる。
【０００９】
前記キャラクタは、前記通話料金累計情報のレベルに応じて、前記キャラクタの姿態のうち、色、大きさ、形、表情の少なくともいずれか一つを変化させる。これにより、他の携帯端末の使用状況を視覚的に把握できる。
【００１０】
前記キャラクタの姿態とともに前記通話料金累計情報を表示することで、キャラクタが何を示すのかを簡単に理解できる。
【００１１】
【発明の実施の形態】
以下、本発明の実施の形態を添付図面に従って説明する。本発明にかかるキャラクタ表示装置を備える携帯端末は、携帯電話、ＰＨＳ、携帯情報端末（ＰＤＡ）、モバイルコンピュータ等を含むが、実施形態としては携帯電話で説明する。
【００１２】
図１に示すように、携帯電話１は、表示装置２、音声出力装置３、入力装置４、第１記憶装置５、第２記憶装置６、通信装置７および制御装置８からなっている。
【００１３】
表示装置２は、液晶表示装置からなり、ドットマトリックス方式で文字や画像を表示する。音声出力装置３は、スピーカからなり、音声を出力する。
【００１４】
入力装置４は、複数の入力ボタンからなり、文字、数字または記号の入力や、前記表示装置２に表示されている内容の選択または指示が可能である。また、入力装置４は、前記表示装置２の表示領域を押圧することで、該表示領域に表示されている内容の選択または指示が可能なタッチパネルとすることもできる。
【００１５】
第１記憶装置５は、メモリチップからなり、個人情報や位置情報等の情報を記憶する。個人情報は、ユーザによる携帯電話１の利用状況を示すパラメータで、通話料金、通話時間、通話回数、メール回数、及びそれらの累計、ウェブサイトアクセス回数、有料サイト登録数等である。これらは、電話をかけたり、メールを送信したり、サイトにアクセスする毎に更新される。個人情報の中には、バッテリー残量や電界強度が含まれ、これらは図示しないセンサに基づいて随時変更される。
【００１６】
位置情報は、携帯電話１が所在する現在位置と海抜高度である。現在位置は、gpsOne（Qualcomm社の位置情報取得技術）を利用して得られる。gpsOneは、ＧＰＳ（全地球測位システム）衛星からの電波を受信して携帯電話１の現在位置を計測する。ＧＰＳ衛星が探索できない場合、またはＧＰＳ衛星からの電波が届かない場合は、基地局１２からの電波を受信して計測する。海抜高度もＧＰＳを利用して得られる。
【００１７】
第２記憶装置６は、メモリチップからなり、複数のキャラクタ画像と複数の風景画像を予め記憶している。キャラクタ画像は、図３に示すように、「元祖鍋奉行」、「ほわほわん」、「Basset  Hound」、「Hyokotto（よこっと）」、「カメの兄弟」、「かぶりまにあ」と称する各キャラクタのグループからなり、各グループは、姿態が変化した多数のキャラクタを有している。
【００１８】
例えば、「元祖鍋奉行」のグループは、頭部を鍋料理に使用する鍋や食材の形に変化させた多数のキャラクタを有している。「ほわほわん」のグループは、身体の一部または全部を自在に膨張収縮させた多数のキャラクタを有している。「Basset  Hound」のグループは、バセットハウンド犬の行動姿態を変化させ多数のキャラクタを有している。「Hyokotto（ひょこっと）」のグループは、カップや碗から各種動物が覗く姿態を変化させた多数のキャラクタを有している。「カメの兄弟」のグループは、カメの行動姿態を変化させた多数のキャラクタを有している。「かぶりまにあ」のグループは、頭に被るものを変化させた多数のキャラクタを有している。
【００１９】
風景画像は、図４に示すように、日本全国市町村に関係する画像である。例えば、京都市内であれば東寺、札幌市内であれば時計台、姫路市内であれば姫路城の風景とする。
【００２０】
また、第２記憶装置６は、複数のキャラクタ画像と複数の風景画像を、前記第１記憶装置５に記憶されている個人情報および位置情報と対応させて記憶する。個人情報である通話料金、通話時間、通話回数等には、ユーザによって選択されるキャラクタを割り当て、それらのレベルに対応した姿態のキャラクタを対応させる。例えば、通話料金を４レベルに区分し、レベルが上がるにつれてダメージを受けた姿態のキャラクタを対応させる。位置情報には、その位置が所在する市町村に対応する風景画像を対応させる。
【００２１】
通信装置７は、電話回線やインターネット等の通信網９を介して、他の携帯電話１０や、ウェブサイト１１、ＧＰＳ基地局１２との間で、音声情報のほか、文字情報、画像情報、位置情報の送受信が可能である。
【００２２】
制御装置８は、前述の表示装置２、音声出力装置３、入力装置４、第１記憶装置５、第２記憶装置６および通信装置７と交信し、以下に説明する動作を実行する。
【００２３】
前記第２記憶装置６に、複数のキャラクタ画像と複数の風景画像を記憶する代わりに、外部から画像を取得するようにしてもよい。図２は、このために用いる携帯電話１と画像提供用サーバ１３の構成を示す。携帯電話１は、第２の記憶装置を有しない以外は、前記携帯電話１と同様であり、対応する部分には同一符号を附して説明を省略する。画像提供用サーバ１３は、インターネットや電話回線等の通信網９を通じて前記携帯電話１と交信可能である。この画像提供用サーバ１３は、図１の前記携帯電話１の第２記憶装置６と同様の機能を有する記憶装置１４、通信装置１５および制御装置１６からなる。携帯電話１の制御装置８は、通信装置７を介して画像提供用サーバ１３に画像情報の要求信号を出力する。画像提供用サーバ１３の制御装置１６は、通信装置１５を介して画像情報の要求信号を受信すると、記憶装置１４内の画像情報を取得し、通信装置１５を介して画像情報を携帯電話１に送信する。
【００２４】
次に、前記構成からなるキャラクタ表示装置を備える携帯電話１のキャラクタ表示動作について説明する。
【００２５】
図５は、表示装置２の画面であって、「モバイルキャロメーター」と称するキャラクタ表示機能の選択画面を示す。「モバイルキャロメーター」として、「ｅ−ハガキメール」、「キャロメーター」および「エージェント」の３つの機能が表示されている。ユーザは、入力装置４のボタンを適宜操作することで、これらの機能から希望する機能を選択し、必要な設定を行うことができる。
【００２６】
ｅ−ハガキメール
図６は、「ｅ−ハガキメール」の動作を示す。「ｅ−ハガキメール」では、ステップＳ１１でキャラクタを選択し、ステップ１２でメールを作成し、ステップ１３で携帯電話１が所在する位置情報を取得し、該位置情報に基づきステップ１４で風景画像を取得する。そして、ステップ１５で風景画像を添付ファイルとしてメールを送信するとともに、ステップ１６で携帯電話１に壁紙として表示する。以下、「ｅ−ハガキメール」の動作を詳細に説明する。
【００２７】
キャラクタを選択するには、図５の画面中「ｅ−ハガキメール」の表示の下の「○キャラクターの選択」の表示を選択する。これにより、制御装置８は、表示装置２の画面を図７（ａ）に示すキャラクタ選択画面に切り替える。ユーザは、キャラクタ選択画面の１から６のキャラクタグループまたは７の「ランダム」のうち、希望するものを選択する。７の「ランダム」は、例えば、メール送信毎に、１から６のキャラクタグループを乱数的に切り替えるものである。キャラクタの選択を受け付けると、制御装置８は、図７（ｂ）に示すキャラクタ確認画面に切り替える。なお、図７（ａ）のキャラクタ選択画面でキャラクタの「プロフィル」を選択すると、制御装置８は図７（ｃ）に示すキャラクタプロフィル画面に切り替える。これにより、ユーザは、選択したキャラクタの意義を知ることができる。
【００２８】
ユーザがキャラクタの選択を終えると、制御装置８は、選択されたキャラクタを「ｅ−ハガキメール」のキャラクタとして第１記憶装置５に記憶する。続いて、制御装置８は、表示装置２の画面を図７（ｄ）に示すメール作成画面に切り替える。ここで、ユーザは、入力装置４を操作してメールアドレス、メールの件名、メッセージ等の入力を行い、「送信」を指示する。
【００２９】
これにより、制御装置８は、通信装置７を介して、ＧＰＳ基地局１２またはＧＰＳ衛星を探索し、該ＧＰＳ基地局１２またはＧＰＳ衛星からの電波に基づいてユーザの携帯電話１が所在する位置の位置情報を取得し、該位置情報を第１記憶装置５に記憶する。そして、制御装置８は、前記位置情報に対応する市町村の風景画像を第２記憶装置６に要求し、または通信装置７を介して画像提供用サーバ１３に要求し、これを取得する。次に、制御装置８は、取得した風景画像にユーザが選択したキャラクタを重ねて画像データを作成し、該画像データを添付ファイルとして、指定したメールアドレスの他の携帯電話１０にメールを送信する。
【００３０】
このように、「ｅ−ハガキメール」を送ることで、デジタルカメラで旅先の風景を撮影しなくても、単にメールを送信するだけで旅先の風景を絵ハガキとして送ることができるので、旅行に来ていること自慢したり、自分の居場所をこっそり知らせたりすることができる。また、「ｅ−ハガキメール」を受信した他の携帯電話のユーザは、添付ファイルを開いて風景画像を見ることで、送り主が今現在どこにいるかを知ることができ、これ刺激されて、「ｅ−ハガキメール」で返信して自分の居場所を知らせることができる。
【００３１】
次に、制御装置８は、取得した風景画像を表示装置２に出力し、待ち受け画面の壁紙として表示する。これにより、ユーザは、旅先で「ｅ−ハガキメール」を送信する毎に、待ち受け画面の壁紙が替わるので、想い出の風景として楽しむことができ、飽きることがない。
【００３２】
なお、ユーザが「ｅ−ハガキメール」を使用する毎に、取得した風景画像の都道府県を記憶し、４７都道府県の風景画像が集まるとユーザにお宝をプレセントするようにして、旅行意欲を向上させることもできる。
【００３３】
キャロメーター
図８は、「キャロメーター」の動作を示す。「キャロメーター」では、ステップＳ２１でキャラクタを選択し、ステップ２２でパラメータを選択し、ステップ２３でパラメータ情報を取得する。そして、ステップＳ２４で、前記パラメータ情報に応じて前記キャラクタの姿態を変化させて表示装置２の待ち受け画面に表示する。以下、「キャロメーター」の動作を詳細に説明する。
【００３４】
「キャロメーター」を選択するユーザは、まず図５の選択画面中「キャロメーター」の表示の下の「１．キャラクターの選択」の表示を選択する。これにより、制御装置８は、表示装置２の画面を図９（ａ）に示すキャラクタ選択画面に切り替える。ユーザは、「ｅ−ハガキメール」と同様に、キャラクタ選択画面から希望するキャラクタを選択する。キャラクタの選択を受け付けると、制御装置８は図９（ｂ）に示すキャラクタ確認画面に切り替える。ここで、ユーザが「パラメータの設定」を選択すると、制御装置８は、図１０（ａ）に示すパラメータ設定画面に切り替える。ユーザは、パラメータ設定画面の１から７のパラメータ、すなわち、「通話料金累計」、「前回通話料金」、「通話時間累計」、「前回通話時間」、「現在地」、「海抜高度」および「バッテリー残量」のうち、希望するものを選択する。パラメータの選択を受け付けると、制御装置８は図１０（ｂ）に示すパラメータ確認画面に切り替える。ここで、ユーザは、通話料金累計の予算の設定値を入力する。設定値を受け付けると、制御装置８は、図１０（ｃ）に示す設定値確認画面に切り替える。
【００３５】
ユーザがキャラクタの選択とパラメータの設定を終えると、制御装置８は、ユーザにより設定されたパラメータのパラメータ情報を第１記憶装置５から取得し、該パラメータ情報のレベルに対応してキャラクタの姿態を変化させて、パラメータの文字データや画像データとともに表示装置２の待ち受け画面に表示する。
【００３６】
例えば、パラメータが「通話料金累計」である場合、制御装置８は、通話料金累計を第１記憶装置５から取得し、該通話料金累計の額に対応して「ほわほわん」や「Basset  Hound」のキャラクタの姿態を図１１に示すように４段階に変化させる。通話料金累計が設定値以下であれば、図１２（ａ）に示すように通常の大きさでキャラクタを表示し、設定値を超えるとキャラクタの形を巨大化させ、あるいは色を変化させて表示する。これにより、ユーザは、通話料金累計が設定値を越えたことを認識し、今後は通話を控えなければならないと反省するようになる。
【００３７】
なお、通話料金累計が設定値を越えたときに、キャラクタの形や色だけでなく、キャラクタの鳴き声等の音声を変化させるようにしてもよい。また、通話料金累計が設定値を越えたときに、ユーザ自身にメールを送ったり、電話をかけてキャラクタの声で料金超過を知らせることも可能である。
【００３８】
パラメータが、「現在地」である場合、制御装置８は、前述の「ｅ−ハガキメール」と同様に、gpsOneを利用して携帯電話１が所在する位置情報を取得してこれを第１記憶装置５に記憶し、さらに該位置情報に対応する市町村の風景画像を第２記憶装置６に要求し、または通信装置７を介して画像提供用サーバ１３に要求し、これを取得する。そして、図１３に示すように、風景画像毎に「バセットハウンド」のキャラクタの姿態を変化させ、風景画像に重ねて画像データを作成し、これを待ち受け画面に表示する。これにより、ユーザは、移動する毎に次々に替わる待ち受け画面の壁紙に興味を覚え、親しみを持つことができるので、飽きることがない。
【００３９】
パラメータが、「海抜高度」である場合、制御装置８は、前述の「ｅ−ハガキメール」と同様に、gpsOneを利用して携帯電話１が所在する位置情報を取得してこれを第１記憶装置５に記憶し、さらに該位置情報から高度を算出し、該高度に対応する風景画像を第２記憶装置６に要求し、または通信装置７を介して画像提供用サーバ１３に要求し、これを取得する。そして、図１４に示すように、風景画像毎に「カメ兄弟」のキャラクタの姿態を変化させ、風景画像に重ねて画像データを作成し、これを待ち受け画面に表示する。このとき、海抜高度の数値データも重ねて表示する。これにより、ユーザは、現在地の海抜高度がいくらなのかについて関心を持つことができる。
【００４０】
パラメータが、「バッテリー残量」である場合、制御装置８は、バッテリー残量を第１記憶装置５から取得し、該バッテリー残量に対応して「ひょこっと」のキャラクタの姿態を図１５に示すように５段階に変化させる。すなわち、バッテリー残量が大であれば、キャラクタをカップから元気よく飛び出した姿態で表示し、バッテリー残量が無くなるに従ってカップに隠れるようにし、充電中はキャラクタがカップ内で眠った姿態で表示する。これにより、ユーザは、キャラクタがバッテリー残量を知らせてくれるので、バッテリー残量を常に意識することができ、バッテリー切れを防止することができる。
【００４１】
なお、複数のパラメータ毎にそれぞれ異なるキャラクタを設定してもよいし、複数のパラメータに対して１つのキャラクタを設定してもよい。また、パラメータとキャラクタを待ち受け画面に複数表示したり、一定時間毎に順番に表示することも可能である。
【００４２】
また、位置情報からユーザが移動した距離を算出し、これを消費カロリーに換算してキャラクタとともに待ち受け画面に表示することで、ヘルスメータとして利用することもできる。
【００４３】
エージェント
図１６は、「エージェント」の動作を示す。「エージェント」では、ステップＳ３１でキャラクタを選択し、ステップ３２でエージェントのモードを選択し、ステップ３３でそのモードを判別する。そして、モードが通話料金モードであれば、ステップＳ３４でリンク先アドレスを入力し、ステップＳ３５でリンク先の通話料金を取得し、ステップ３６でリンク先の通話料金を表示する。また、モードが待ち合わせモードであれば、ステップＳ３７でリンク先アドレスを入力し、ステップＳ３８とＳ３９でリンク先の位置情報とキャラクタをそれぞれ取得し、ステップＳ４０とＳ４１で距離と歩行時間を計算し、ステップＳ４２でキャラクタ、距離および歩行時間を表示装置２の待ち受け画面に表示する。以下、「エージェント」の動作を詳細に説明する。
【００４４】
「エージェント」を選択するユーザは、まず図５の選択画面中「エージェント」の表示の下の「１．キャラクターの選択」の表示を選択する。これにより、制御装置８は、表示装置２の画面を図１７（ａ）に示すキャラクタ選択画面に切り替える。ユーザは、「ｅ−ハガキメール」のときと同様に、キャラクタ選択画面から希望するキャラクタを選択する。キャラクタの選択を受け付けると、制御装置８は図１７（ｂ）に示すキャラクタ確認画面に切り替える。ここで、ユーザが「パラメータの設定」を選択すると、制御装置８は、図１８（ａ）に示すパラメータ設定画面に切り替える。ユーザは、パラメータ設定画面の１の「通話料金モード」または２の「待ち合わせモード」のうち、希望するものを選択する。
【００４５】
１の「通話料金モード」の選択を受け付けると、制御装置８は図１８（ｂ）に示すパラメータ確認画面に切り替える。ここで、ユーザは、リンク先アドレス（例えば、ユーザが親の場合は子供の携帯電話のアドレス）を入力する。リンク先アドレスを受け付けると、制御装置８は、図１８（ｃ）に示すリンク先アドレス確認画面に切り替える。次に、制御装置８は、通信装置７を介して、ユーザにより入力されたリンク先アドレスの携帯電話１０の第１記憶装置５にアクセスし、通話料金累計の情報を取得する。
【００４６】
そして、図１９（ｂ）に示すように、リンク先の通話料金累計の額に対応して「ほわほわん」のキャラクタの姿態を、「キャロメーター」の場合と同様に、４段階に変化させて表示する。これにより、ユーザである親は、表示された「ほわほわん」のキャラクタの姿態で、リンク先の子供の通話料金累計を監視することができ、設定値を越えるとリンク先の子供に注意を与えることができる。もちろん、リンク先の子供は、「キャロメーター」を設定していれば、図１９（ａ）に示すように、自分自身で通話料金累計が設定値を越えていることを知ることができる。
【００４７】
なお、通話料金累計が設定値を越えたときのみ、キャラクタの声で電話がかかったり、キャラクタからメールが届くようにしてもよい。
【００４８】
図２０（ａ）に示す２の「待ち合わせモード」の選択を受け付けると、制御装置８は図２０（ｂ）に示すパラメータ確認画面に切り替える。ユーザは、リンク先アドレス（例えば、ユーザが彼女の場合は、彼氏の携帯電話のアドレス）を入力する。リンク先アドレスを受け付けると、制御装置８は、図２０（ｃ）に示すリンク先アドレス確認画面に切り替える。次に、制御装置８は、通信装置７を介して、ユーザにより入力されたリンク先アドレスの携帯電話１０の第１記憶装置５にアクセスし、リンク先の位置情報とキャラクタを取得する。
【００４９】
そして、このリンク先の位置情報と、自己の携帯電話１の第１記憶装置５から取得した自己の位置情報とに基づいて、自己の携帯電話１とリンク先の携帯電話１０の間の距離を計算し、自己のキャラクタにリンク先のキャラクタが接近してくるような姿態の画像を作成する。そして、図２１に示すように、前記距離の大小に対応して自己のキャラクタとリンク先のキャラクタの間隔を変化させて、待ち受け画面に表示する。また、自己の携帯電話１とリンク先の携帯電話１０の間の距離を徒歩時間に換算し、この徒歩時間と距離をメッセージで表示する。これにより、ユーザはリンク先の相手がどのくらい近くにいるかを確認することができる。
【００５０】
【発明の効果】
以上の説明から明らかなように、本発明のキャラクタ表示装置では、ユーザに複数のキャラクタの中からキャラクタを選択させる手段と、前記携帯端末と通信可能な他の携帯端末の通話料金累計情報を取得する手段と、該通話料金累計情報に対応して前記キャラクタの姿態を変化させて前記画面に表示する手段とからなるので、他の携帯端末の通話料金累計情報を表示でき、当該他の形態端末のユーザの利用状況や位置を知ることができる。
【図面の簡単な説明】
【図１】  本発明にかかるキャラクタ表示装置の実施形態を備えた携帯電話のブロック図。
【図２】  本発明にかかるキャラクタ表示装置の他の実施形態を備えた携帯電話のブロック図。
【図３】  本発明にかかるキャラクタ表示装置で使用するキャラクタを示す図。
【図４】  本発明にかかるキャラクタ表示装置で使用する市町村に対応する画像を示す図。
【図５】  本発明にかかるキャラクタ表示装置の「モバイルキャロメーター」の機能選択画面を示す図。
【図６】  本発明にかかるキャラクタ表示装置による「ｅ−ハガキメール」の機能の動作を示すフローチャート。
【図７】  「ｅ−ハガキメール」の機能におけるキャラクタの選択からメールの作成までの画面の変化を示す図。
【図８】  本発明にかかるキャラクタ表示装置による「キャロメーター」の機能の動作を示すフローチャート。
【図９】  「キャロメーター」の機能におけるキャラクタの選択時の画面の変化を示す図。
【図１０】  「キャロメーター」の機能におけるパラメータの設定時の画面に変化を示す図。
【図１１】  「キャロメーター」の機能におけるキャラクタの姿態の４段階の変化を示す図。
【図１２】  「キャロメーター」の機能における通話料金累積をキャラクタの姿態の変化で示す図。
【図１３】  「キャロメーター」の機能における現在地をキャラクタと風景画像の変化で示す図。
【図１４】  「キャロメーター」の機能における海抜硬度をキャラクタと風景画像の変化で示す図。
【図１５】  「キャロメーター」の機能におけるバッテリー残量をキャラクタの変化で示す図。
【図１６】  本発明にかかるキャラクタ表示装置による「エージェント」の機能の動作を示すフローチャート。
【図１７】  「エージェント」の通話料金モードにおけるキャラクタの選択時の画面の変化を示す図。
【図１８】  「エージェント」の通話料金モードにおけるパラメータの設定時の画面の変化を示す図。
【図１９】  「エージェント」の通話料金モードにおけるリンク先の累積通話料金をキャラクタの変化で示す図。
【図２０】  「エージェント」の待ち合せモードにおけるキャラクタの選択時の画面の変化を示す図。
【図２１】  「エージェント」の待ち合せモードにおけるリンク先との距離をキャラクタの変化で示す図。
【符号の説明】
１：携帯電話、２：表示装置、３：音声出力装置、４：入力装置、５：第１記憶装置、６：第２記憶装置、７：通信装置、８：制御装置。
【図１】
0004742472.tif 000002
【図２】
0004742472.tif 000003
【図３】
0004742472.tif 000004
【図４】
0004742472.tif 000005
【図５】
0004742472.tif 000006
【図６】
0004742472.tif 000007
【図７】
0004742472.tif 000008
【図８】
0004742472.tif 000009
【図９】
0004742472.tif 000010
【図１０】
0004742472.tif 000011
【図１１】
0004742472.tif 000012
【図１２】
0004742472.tif 000013
【図１３】
0004742472.tif 000014
【図１４】
0004742472.tif 000015
【図１５】
0004742472.tif 000016
【図１６】
0004742472.tif 000017
【図１７】
0004742472.tif 000018
【図１８】
0004742472.tif 000019
【図１９】
0004742472.tif 000020
【図２０】
0004742472.tif 000021
【図２１】
0004742472.tif 000022